(57)【要約】
【課題】命綱を間違いなく正しく使用して墜落防止の目的を達成することができる高所作業用安全帯を提供すること。
【解決手段】胴ベルト２に取り付けた巻取器３へ命綱を巻き込み収容するとともに、上記胴ベルト２に工具の吊持具５が取り付けられている高所作業用安全帯において、上記工具の吊持具５には、胴ベルト２に対する取付部５ａと、この取付部５ａの下部から張出す張出部１３の先端から作業用工具に設けた掛孔１１ａに通過可能な立上り部１４を立ち上げ形成した工具掛け部５ｂとを設け、上記取付部５ａと工具掛け部５ｂとの間には隙間１２を設けるとともに、上記工具掛け部５ｂを弾性金属で形成した。
【選択図】        図１
0003101487.tif 000002
【実用新案登録請求の範囲】
【請求項１】
胴ベルトに取り付けた巻取器へ命綱を巻き込み収容するとともに、上記胴ベルトに工具の吊持具が取り付けられている高所作業用安全帯において、
上記工具の吊持具には、胴ベルトに対する取付部と、この取付部の下部から張出す張出部の先端から作業用工具に設けた掛孔に通過可能な立上り部を立ち上げ形成した工具掛け部とを設け、上記取付部と工具掛け部との間には隙間を設けるとともに、上記工具掛け部を弾性金属で形成した
ことを特徴とする高所作業用安全帯。
【請求項２】
前記工具掛け部には、前記立上り部の上端から内側に折り返され、さらに下方に延びる工具の外れ止め部が形成されている、請求項１記載の高所作業用安全帯。
【考案の詳細な説明】
【技術分野】
【０００１】
本考案は、高所作業者が腰部に装着して墜落事故を防止する高所作業用安全帯に関する。
【背景技術】
【０００２】
従来、高所作業用安全帯は、胴ベルトに取り付けた巻取器へ命綱を巻き込み収容して、この命綱を高所で作業するときは係止フックにより支持体（足場を構成している単管等）へ係止して、墜落の事故を防止するようにしている。適当な単管がないときは、図４に示されるように、梁などの横材に布などを掛け、さらにその周囲に回した後、係止フック１０に命綱４を通すような使い方もなされていた（例えば特許文献１参照）。
【０００３】
上記高所作業用安全帯の命綱の巻取器等は胴ベルトの左脇側へ取り付けられていて、右脇側は空いているので、この部分へ図５に示す通りの工具吊りフックを取り付け、工具吊り用の金具（通常はカラビナ）には工具を吊持するように構成されている。
【特許文献１】実開平６−７８０８０号公報
【０００４】
そこで、図５に示されるように、命綱２０を支持体２１に掛ける際、命綱２０の係止フック２２を図５に拡大して示すように、工具吊り金具２３に掛けるおそれがある。ところが、工具吊り金具２３は一見頑丈そうにみえるが、その耐荷重は作業者の墜落時にかかる荷重に耐えられるものではなく、あくまで工具掛けとして取り付けられたものである。このため、係止フック２２を工具吊り金具２３に掛けると、作業者が墜落する等の事故が起きる可能性があった。
【考案の開示】
【考案が解決しようとする課題】
【０００５】
本考案は前記問題点を解消し、間違いなく正しく命綱を使用して墜落防止の目的を完全に達成することができる高所作業用安全帯を提供することをその課題とする。
【課題を解決するための手段】
【０００６】
前記課題を解決するため、本考案に係る高所作業用安全帯は、胴ベルトに取り付けた巻取器へ命綱を巻き込み収容するとともに、上記胴ベルトに工具の吊持具が取り付けられている高所作業用安全帯において、上記工具の吊持具には、胴ベルトに対する取付部と、この取付部の下部から張出す張出部の先端から作業用工具に設けた掛孔に通過可能な立上り部を立ち上げ形成した工具掛け部とを設け、上記取付部と工具掛け部との間には隙間を設けるとともに、上記工具掛け部を弾性金属で形成したことを特徴とする。
【０００７】
なお、好ましくは、前記工具掛け部の上端から内側に折りこまれて下方に延びる工具の外れ止め部を形成するのがよい。
【考案の効果】
【０００８】
請求項１に係る考案によれば、作業者は胴ベルトに取付けた取付部に単に工具掛け部を設けただけの単純な構造で、しかも取付部と工具掛け部との間に隙間が形成されているから、命綱の係止フックを掛けても簡単に外れるのではないかと不信感を抱くから、立上り部は工具に設けた掛孔が通過可能な幅に形成された細いものであり、作業者は一見して工具掛け部の耐荷重は小さく、命綱の係止フックを掛けて墜落したときの荷重にはとうてい耐えられないのではないかとの不信感を抱くから、係止フックを係止させようとは思わない。たとえ、胴ベルトの工具掛け部に命綱の係止フックを掛けたとしても、その場合は作業者心理として、大丈夫かどうかを確かめるために係止フックを２、３度引っ張って強度を試すはずであるが、工具掛け部は弾性金属板で形成されているため、強く引っ張られたときに弾性変形する。このため、作業者は吊持具にはとうてい命を預けるに足る信頼性はないと確信する。このように、見た目にも、また試してみても、作業者はとうてい上記吊持具に係止フックを掛けようとは思わない。したがって、作業者は支持体を迂回させた命綱の係止フックを、工具の吊持具へ掛けることの可能性を全く考えることはないので、命綱を正しく使用して墜落事故の防止を確実に行うことができる。
【０００９】
請求項２に係る考案によれば、外れ止め部により工具の掛け外れが有効に防止できるので、工具の自然離脱を起すおそれがない。
【考案を実施するための最良の形態】
【００１０】
以下に本考案に係る高所作業用安全帯の実施の形態を図面について説明する。
【００１１】
図１において符号１は、高所作業用安全帯を示す。この安全帯１は、胴ベルト２に取り付けた巻取器３へ命綱４を巻き込み収容する構造であって、上記胴ベルト２に工具の吊持具５が取り付けられている。
【００１２】
上記胴ベルト２は、十分な強度と着装適性を有する帯状体を所要長さに切断して、一端にバックル６を取り付け、このバックル６へ胴ベルト２の他端を通して締め着けると胴ベルト２が胴部へ確実に着装されるものであり、胴ベルト２の左腰側には命綱４の巻取器３等が取り付けられ、右腰側には工具の吊持具５が取り付けられる。
【００１３】
上記巻取器３は、胴ベルト２へ移動可能に取り付けられて、胴ベルト２に固定した止具７と緩衝器８を介して連結することにより緩衝の機能を持たせてあり、この巻取器３に巻取り収容される命綱４は、先端に構造体や足場等に強固に固着された支持体９へ掛ける係止フック１０が取り付けられている。
【００１４】
上記工具の吊持具５は、図２に示されるように、胴ベルトへの取付部５ａと取付部５ａの下端から外方に上向きの渦巻き状に形成された工具掛け部５ｂとから成り、少なくとも工具掛け部５ｂは帯状の弾性金属板から形成されている。そして、工具掛け部５ｂは、取付部５ａの下端から外方に延びる張出部１３と、工具に設けた掛孔１１ａ（図３参照）を通過可能な幅に形成された立上り部１４と、その上部から内側へ折り返された折返し部１５と、折返し部１５の先端から下方に延びる外れ止め部１６とを有し、立上り部１４と張出部１３及び折返し部１５とは、工具１１の掛け外しを円滑にするため面取り部１７を介して連結されている。また、取付部５ａと工具掛け部５ｂとの間には隙間１２が形成されている。
【００１５】
また、工具の吊持具５における胴ベルト２への取付部５ａは幅広に形成され、両側に胴ベルト２の通し孔１８を備え、図２（ａ）のように、これら２個の通し孔１８に胴ベルト２を通して胴ベルト２に吊持具５を取り付けるか、図２（ｂ）に示すように、幅狭に形成して（安定する程度には幅広にする方が好ましいが）、裏側に上下の端部をＬ形に曲げた当板１９を接合して、取付部５ａと当板１９との間に胴ベルト２の通し孔１８を形成して、この通し孔１８に胴ベルト２を通して吊持具５を胴ベルト２に取り付ける。
【００１６】
上記の通り形成される高所作業用安全帯１は、胴ベルト２を作業者の腰部に着装すると、作業者の左腰側に命綱４の巻取器３が位置し、右腰側に工具の吊持具５が位置する。従って、吊持具５に工具１１を吊持するときは、図３に示されるように、掛け部５ｂの外れ止め部１６へ工具１１に設けた掛孔１１ａを嵌めて、工具１１を掛孔１１ａが立上り部１４の上部へ移るよう引き動かして手を離せば、工具１１は立上り部１４を滑り降りて張出部１３に支持される。
【００１７】
上記のように吊持具５へ取り付けられた工具１１は、立上げ部１４に折返し部１５と外れ止め部１６が連設されるため、作業者がどの様な姿勢を取る場合も、折返し部１５と外れ止め部１６とで外れを防止されて工具１１の自然脱落を生じない。しかし、工具１１を掛孔１１ａが張出部１３から折返し部１５を経て外れ止め部１６の下端から外れる位置まで引き動かせば、工具１１を吊持具５から簡単に外すことができる。
【００１８】
また、工具の吊持具５は、胴ベルト２への取付部５ａと工具掛け部５ｂとの間に工具１１を掛け外しする隙間１２が存在して、命綱４の係止フック１０をしっかりと掛けることができない構造であることが明白であり、しかも立上り部１４は工具に設けた掛孔１１ａが通過可能な幅に形成された細いものであるから、作業者は一見して工具掛け部の耐荷重は小さく、命綱の係止フック１０を掛けて墜落したときの荷重にはとうてい耐えられないのではないかとの不信感を抱くから、係止フック１０を係止させようとは思わない。たとえ、胴ベルトの工具掛け部５ｂに命綱の係止フック１０を掛けても、作業者心理として、大丈夫かどうかを確かめるために係止フックを２、３度引っ張って強度を試すはずであるが、工具掛け部５ｂは弾性金属板で形成されているため、強く引っ張られたときに弾性変形する。このため、作業者は吊持具にはとうてい命を預けるに足る信頼性はないと確信する。このように、見た目にも、また試してみても、作業者はとうてい上記吊持具５に係止フック１０を掛けようとは思わない。したがって、作業者は支持体を迂回させた命綱の係止フック１０を、工具の吊持具５へ掛けることの可能性を全く考えることはないので、図４に示すような、命綱を正しく使用して墜落事故の防止を確実に行うことができる。
【００１９】
さらに、外れ止め部１６により工具の掛け外れが有効に防止できるので、工具の自然離脱を起すおそれがない。
【００２０】
なお、外れ止め部１６と折返し部１５とは、工具掛け部５ｂに必ずしも必要な部分ではないが、あれば好ましい。
【００２１】
また、工具掛け部５ｂは上述の例に限定されない。例えば、張出部と立上り部からなるＬ字形であっても、Ｃ字形であってもよい。
【００２２】
さらに、工具掛け部５ｂは板状のものに限定されない。丸棒状でもよい。
【産業上の利用可能性】
【００２３】
命綱の間違った使用方法による作業者の墜落事故の発生を完全に防止するのに適用できる。
【図面の簡単な説明】
【００２４】
【図１】高所作業用案全帯を示す正面図
【図２】（ａ）（ｂ）は同上安全帯に用いた工具の吊持具の２つの例を示す斜視図
【図３】工具の吊持具へ工具を取り付けた状態を示す斜視図
【図４】安全帯における命綱の正しい使用態様を示す斜視図
【図５】従来の安全帯における命綱の間違った使用態様を示す説明図
【符号の説明】
【００２５】
１  高所作業用安全帯
２  胴ベルト
３  巻取器
４  命綱
５  工具の吊持具
５ａ  胴ベルトへの取付部
５ｂ  工具掛け部
１２  隙間
１３  張出部
【図１】
0003101487.tif 000003
【図２】
0003101487.tif 000004
【図３】
0003101487.tif 000005
【図４】
0003101487.tif 000006
【図５】
0003101487.tif 000007